(57)【要約】【課題】  テレビジョンカメラにおいて、使用目的に応じてＣＣＤ等の撮像デバイスを交換すると、手動または自動で色調補正や輪郭強調等の映像関係の再調整が必要であった。  本発明の目的は、上記のような再調整等の手間を省くことにある。【解決手段】  本発明は、少なくとも撮像部と映像処理部を備えたテレビジョンカメラにおいて、撮像部と映像処理部を電気的に結合する手段を有し、撮像部は撮像手段と撮像手段の情報を記憶する記憶手段を有し、映像処理部は映像処理手段と映像処理手段を制御する制御手段と撮像手段を制御する制御手段と撮像部の記憶手段に記憶されている情報を記憶する記憶手段を有し、映像処理手段と撮像手段の制御は撮像部の記憶手段に記憶されている情報で行うことを特徴とするテレビジョンカメラである。【選択図】  図１
2006203484.tif 000002
【特許請求の範囲】
【請求項１】
少なくとも撮像部と映像処理部を備えたテレビジョンカメラにおいて、
前記撮像部と前記映像処理部を電気的に結合する手段を有し、前記撮像部は撮像手段と該撮像手段の情報を記憶する記憶手段を有し、
前記映像処理部は映像処理手段と該映像処理手段を制御する制御手段と前記撮像手段を制御する制御手段と前記撮像部の前記記憶手段に記憶されている前記情報を記憶する記憶手段を有し、
前記映像処理手段と前記撮像手段の制御は前記撮像部の前記記憶手段に記憶されている情報で行うことを特徴とするテレビジョンカメラ。
【発明の詳細な説明】
【技術分野】
【０００１】
本発明は、撮像部を交換した際に再調整を行わずに最適映像を得るための制御に関するものである。
【背景技術】
【０００２】
従来、使用目的に応じてＣＣＤ（Charge Coupled Device）等の撮像デバイスを交換すると、手動または自動で色調補正や輪郭強調等の映像関係の再調整を行っていた（例えば、特許文献１参照。）。
【特許文献１】特開平０６−０３８２２１号公報
【発明の開示】
【発明が解決しようとする課題】
【０００３】
前述の従来技術には、使用目的に応じてＣＣＤ等の撮像デバイスを交換すると、手動または自動で色調補正や輪郭強調等の映像関係の再調整が必要であった。
本発明の目的は、上記のような再調整等の手間を省くことにある。
【課題を解決するための手段】
【０００４】
本発明は、少なくとも撮像部と映像処理部を備えたテレビジョンカメラにおいて、撮像部と映像処理部を電気的に結合する手段を有し、撮像部は撮像手段と撮像手段の情報を記憶する記憶手段を有し、映像処理部は映像処理手段と映像処理手段を制御する制御手段と撮像手段を制御する制御手段と撮像部の記憶手段に記憶されている情報を記憶する記憶手段を有し、映像処理手段と撮像手段の制御は撮像部の記憶手段に記憶されている情報で行うことを特徴とするテレビジョンカメラである。
【発明の効果】
【０００５】
本発明によれば、ＣＣＤ等の撮像デバイスを含む撮像部を交換した際に再調整を行わずに最適映像を得ることができる。
また、電源投入から短時間でテレビジョンカメラの運用ができる。
【発明を実施するための最良の形態】
【０００６】
本発明によるテレビジョンカメラの実施例について図１を用いて説明する。図１は、本発明の一実施例の撮像部にＣＣＤを用いた場合のテレビジョンカメラの構成を示すブロック図である。
【０００７】
図１において、１は入射光を結像するためのレンズ部であり、２はレンズ部１からの入射光を光電変換するデバイスとしてＣＣＤを使用した撮像部であり、４は撮像部２から出力される映像信号に各種の処理を施して映像信号を出力する映像処理部である。
【０００８】
撮像部２の内部構成において、１１はレンズ部１からの入射光を例えば赤色光と緑色光および青色光の３原色に分解するプリズムであり、１２はプリズム１１で分解された赤色光を撮像するためのＲ−ＣＣＤであり、１３はプリズム１１で分解された緑色光を撮像するためのＧ−ＣＣＤであり、１４はプリズム１１で分解された青色光を撮像するためのＢ−ＣＣＤである。１５はＲ−ＣＣＤ１２から出力される映像信号から雑音を低減するＣＤＳ（Correlated Double Sampling）回路であり、１６はＧ−ＣＣＤ１３から出力される映像信号から雑音を低減するＣＤＳ回路であり、１７はＢ−ＣＣＤ１４から出力される映像信号から雑音を低減するＣＤＳ回路である。１８はＣＤＳ回路１５から出力される映像信号を所定のレベルに増幅するための増幅器（ＡＭＰ，Amplifier）であり、１９はＣＤＳ回路１６から出力される映像信号を所定のレベルに増幅するための増幅器（ＡＭＰ）であり、２０はＣＤＳ回路１７から出力される映像信号を所定のレベルに増幅するための増幅器（ＡＭＰ）である。２１はＡＭＰ１８から出力される映像信号をデジタル信号に変換するＡ／Ｄ変換器（Analog Digital converter）であり、２２はＡＭＰ１９から出力される映像信号をデジタル信号に変換するＡ／Ｄ変換器であり、２３はＡＭＰ２０から出力される映像信号をデジタル信号に変換するＡ／Ｄ変換器である。２４はＲ−ＣＣＤ１２とＧ−ＣＣＤ１３およびＢ−ＣＣＤ１４を駆動させるためのＣＣＤ駆動回路である。２５は撮像部２の各回路を制御するためのＣＰＵ（Central Processing Unit）である。２６は撮像部２の情報を記憶するメモリである。２７と５１は撮像部２と映像処理部４を電気的に結合するための、例えば、接栓やケーブル等を含むＩ／Ｆ（Interface unit）である。
【０００９】
映像処理部４の内部構成において、５２は撮像部２から入力されたＲ（Ｒｅｄ），Ｇ（Ｇｒｅｅｎ），Ｂ（Ｂｌｕｅ）の各デジタル映像信号に色調補正や輪郭強調等の処理を施す映像処理回路である。５３は映像処理部４から出力される信号を所定の規格に変換して出力する映像出力回路であり、５５は映像出力回路５３から所定の映像信号を出力する接栓である。５９は図示していない外部機器と接続するための接栓であり、５４は外部機器との送受信をするためのＩ／Ｆ（Interface unit）である。５６は映像処理部４の各回路を制御するためのＣＰＵである。５７は映像処理部４の情報と各回路の調整値および撮像部２のメモリ２６の情報を記憶するメモリである。５８は各種の同期信号を発生するＳＳＧ（Synchronize Signal Generator）である。
【００１０】
次に本発明のテレビジョンカメラの動作について図１、図３、図５および図６を用いて説明する。図３は撮像部２の情報を記憶しているメモリ２６のメモリテーブルであり、図５は撮像部２を含む各撮像部の情報を記憶しているメモリ５７のメモリテーブルであり、図６はＣＰＵ５６の動作手順とその内容を示すフローチャートである。
【００１１】
図６において、ＣＰＵ５６はステップＳ１ａで、図１に図示していないテレビジョンカメラ全体の電源スイッチがＯＮまたは電源スイッチがＯＮの状態で撮像部が撮像部２に交換されたことを検知すると、ステップＳ１ｂでＣＰＵ２５と通信してメモリ２６に記憶されている識別番号を読み出す。撮像部２のメモリ２６に記憶されている識別番号は図３に示すように“０１”であるためステップＳ１ｂでは識別番号“０１”が読み出される。ステップＳ１ｃは読み出された撮像部２の識別番号“０１”が映像処理部４のメモリ５７にあるかを判定する。ステップＳ１ｃの判定結果で識別番号“０１”がある場合はステップＳ１ｄでメモリ５７に記憶されている図５に示す識別番号“０１”の記憶情報で映像処理回路５２を制御する。
【００１２】
次のステップＳ１ｅで撮像部２のメモリ２６に記憶している図３に示す識別番号“０１”の情報と映像処理部４のメモリ５７に記憶している図５に示す識別番号“０１”の情報を比較する。ステップＳ１ｅの比較結果で同一の場合は処理を終了する。
【００１３】
ステップＳ１ｃの判定結果で識別番号“０１”がない場合、またはステップＳ１ｅの比較結果で同一でない場合はステップＳ１ｆでメモリ２６の記憶情報をメモリ５７に新規保存または上書き保存する。そしてステップＳ１ｇでメモリ５７の記憶情報で映像処理回路５２を制御する。
【００１４】
ＣＰＵ２５は、ＣＰＵ５６との通信で識別番号を送信後、メモリ２６に記憶されている撮像部２の情報を読み出し、ＣＣＤ駆動回路２４の制御とＡＭＰ１８，１９，２０の利得値の設定等を行う。メモリ２６に記憶されている撮像部２の情報とは、例えば図３に示すように、撮像デバイスはＣＣＤ、撮像サイズは２／３型、画素数は１９２０Ｘ１０３５（撮像デバイスがＣＣＤの場合）、アスペクト比は１６：９、テレビジョン（ＴＶ）方式はＨＤＴＶ、増幅器の増幅率はＡＭＰ１８が＋３ｄＢ、ＡＭＰ１９が＋６ｄＢ、ＡＭＰ２０が＋１２ｄＢ、等である。
【００１５】
また、ＣＰＵ２５は必要に応じて、レンズ部１から例えばレンズファイルと呼ばれるレンズに関係するズーム倍率や倍率色収差等の情報を読み出し、この情報を映像処理部４のＣＰＵ５６に送信する。ＣＰＵ５６は倍率色収差等のレンズに関係する補正を行うため、映像処理回路５２を制御する。
【００１６】
ＣＰＵ２５およびＣＰＵ５６が上記の設定完了後に最適な画質となり、テレビジョンカメラの運用が開始できる。
次に、本発明で撮像部を交換した場合の一実施例について図２と図４および図５を用いて説明する。図２において、図１と同じ部分は説明を省略する。
【００１７】
図２において、レンズ部１は入射光を結像するためのレンズ部であり、３はレンズ部１からの入射光を光電変換するデバイスとして撮像管を使用した撮像部である。
撮像部３の内部構成において、３１はレンズ部１からの入射光を例えば赤色光と緑色光および青色光の３原色に分解するプリズムであり、３２はプリズム３１で分解された赤色光を撮像するためのＲ撮像管であり、３３はプリズム３１で分解された緑色光を撮像するためのＧ撮像管であり、３４はプリズム３１で分解された青色光を撮像するためのＢ撮像管である。３５はＲ撮像管３２から出力される映像信号電流を増幅するプリアンプであり、３６はＧ撮像管３３から出力される映像信号電流を増幅するプリアンプであり、３７はＢ撮像管３４から出力される映像信号電流を増幅するプリアンプである。３８はプリアンプ３５から出力される映像信号を所定のレベルに増幅するための増幅器（ＡＭＰ）であり、３９はプリアンプ３６から出力される映像信号を所定のレベルに増幅するための増幅器（ＡＭＰ）であり、４０はプリアンプ３７から出力される映像信号を所定のレベルに増幅するための増幅器（ＡＭＰ）である。４１はＡＭＰ３８から出力される映像信号をデジタル信号に変換するＡ／Ｄ変換器であり、４２はＡＭＰ３９から出力される映像信号をデジタル信号に変換するＡ／Ｄ変換器であり、４３はＡＭＰ４０から出力される映像信号をデジタル信号に変換するＡ／Ｄ変換器である。４４はＲ撮像管３２とＧ撮像管３３およびＢ撮像管３４を駆動させるための撮像管駆動回路である。４５は撮像部３の各回路を制御するためのＣＰＵである。４６は撮像部３の情報を記憶するメモリである。４７と５１は撮像部３と映像処理部４を電気的に結合するための、例えば、接栓やケーブル等を含むＩ／Ｆ（Interface unit）である。
【００１８】
次に図２の動作について図２、図４、図５および図６を用いて説明する。図４は撮像部３の情報を記憶しているメモリ４６のメモリテーブルであり、図５は撮像部３を含む各撮像部の情報を記憶しているメモリ５７のメモリテーブルであり、図６はＣＰＵ５６の動作手順とその内容を示すフローチャートである。
【００１９】
図６において、ＣＰＵ５６はステップＳ１ａで、図２に図示していないテレビジョンカメラ全体の電源スイッチがＯＮまたは電源スイッチがＯＮの状態で撮像部が撮像部３に交換されたことを検知すると、ステップＳ１ｂでＣＰＵ４５と通信してメモリ４６に記憶されている識別番号を読み出す。撮像部３のメモリ４６に記憶されている識別番号は図４に示すように“０２”であるためステップＳ１ｂでは識別番号 “０２”が読み出される。ステップＳ１ｃは読み出された撮像部３の識別番号“０２”が映像処理部４のメモリ５７にあるかを判定する。ステップＳ１ｃの判定結果で識別番号“０２”がある場合はステップＳ１ｄでメモリ５７に記憶されている図５に示す識別番号“０２”の記憶情報で映像処理回路５２を制御する。
【００２０】
次のステップＳ１ｅで撮像部３のメモリ４６に記憶している図４に示す識別番号“０２”の情報と映像処理部４のメモリ５７に記憶している図５に示す識別番号“０２”の情報を比較する。ステップＳ１ｅの比較結果で同一の場合は処理を終了する。
【００２１】
ステップＳ１ｃの判定結果で識別番号“０２”がない場合、またはステップＳ１ｅの比較結果で同一でない場合はステップＳ１ｆでメモリ４６の記憶情報をメモリ５７に新規保存または上書き保存する。そしてステップＳ１ｇでメモリ５７の記憶情報で映像処理回路５２を制御して終了する。
【００２２】
ＣＰＵ４５は、ＣＰＵ５６との通信で識別番号を送信後、メモリ４６に記憶されている撮像部３の情報と各回路の調整値を読み出し、撮像管駆動回路４４の制御とＡＭＰ３８，３９，４０の利得値の設定等を行う。メモリ４６に記憶されている撮像部３の情報とは、例えば図４に示すように、撮像デバイスは撮像管、撮像サイズは２／３型、アスペクト比は１６：９、ＴＶ方式はＨＤＴＶ、増幅器の増幅率はＡＭＰ３８が０ｄＢ、ＡＭＰ３９が＋３ｄＢ、ＡＭＰ４０が＋６ｄＢ、等である。
【００２３】
また、ＣＰＵ４５は必要に応じて、レンズ部１から例えばレンズファイルと呼ばれるレンズに関係するズーム倍率や倍率色収差等の情報を読み出し、この情報を映像処理部４のＣＰＵ５６に送信すると共に撮像管駆動回路４４を制御して撮像管のセンタリング補正を行う。ＣＰＵ５６は倍率色収差等のレンズに関係する補正を行うため、映像処理回路５２を制御する。
【００２４】
ＣＰＵ４５およびＣＰＵ５６が上記の設定完了後に最適な画質となり、テレビジョンカメラの運用が開始できる。
また、図５の映像処理部４のメモリ５７に記憶している識別番号“０３”の情報は、撮像部１と異なるＣＣＤを使用した撮像部の情報を記憶している一実施例である。メモリ５７に記憶している撮像部の情報とは、図５に示すように、撮像デバイスはＣＣＤ、撮像サイズは１／２型、画素数は７２０Ｘ４８０、アスペクト比は４：３、テレビジョン（ＴＶ）方式はＮＴＳＣ、増幅器の増幅率はＲｃｈが＋９ｄＢ、Ｇｃｈが＋１２ｄＢ、Ｂｃｈが＋１８ｄＢ、等である。
【００２５】
このように映像処理部４のメモリ５７には、複数の撮像部の情報を記憶することができるので、映像処理部４と１度結合して動作させた撮像部は、２度目以降の結合から電源投入後、短時間で運用即ち撮像を開始することができる。
【００２６】
本発明は上述の構成としたことにより、容易に撮像部と映像処理部を再調整せずに交換することができる。このため、撮像目的に応じて撮像部を容易に交換でき、交換後、短時間で運用を開始できる。
【００２７】
本発明の実施例では、Ａ／Ｄ変換器を撮像部に配置して混信や干渉を受けにくい構成としたが、撮像部から映像処理部への伝送線数を減らすためＡ／Ｄ変換器を映像処理部に配置しても良い。
【００２８】
また、本発明の実施例では、撮像部と映像処理部にＣＰＵを配置したが、映像処理部のＣＰＵで撮像部の制御を行っても良い。
以上本発明について詳細に説明したが、本発明は、ここに記載されたテレビジョンカメラに限定されるものではなく、上記以外のテレビジョンカメラに広く適用することができることは言うまでもない。
【図面の簡単な説明】
【００２９】
【図１】本発明の撮像部にＣＣＤを用いた場合のテレビジョンカメラの構成を示すブロック図。
【図２】本発明の撮像部に撮像管を用いた場合のテレビジョンカメラの構成を示すブロック図。
【図３】本発明の撮像部にＣＣＤを用いた場合の動作を説明するためのメモリテーブル。
【図４】本発明の撮像部に撮像管を用いた場合の動作を説明するためのメモリテーブル。
【図５】本発明の映像処理部の動作を説明するためのメモリテーブル。
【図６】ＣＰＵ５６の動作手順とその内容を示すフローチャート。
【符号の説明】
【００３０】
１：レンズ部、２，３：撮像部、４：映像処理部、１１，３１：プリズム、１２：Ｒ−ＣＣＤ、１３：Ｇ−ＣＣＤ、１４：Ｂ−ＣＣＤ、１８，１９，２０，３８，３９，４０：ＡＭＰ、１５，１６，１７：ＣＤＳ、２１，２２，２３，４１，４２，４３：Ａ／Ｄ、２４：ＣＣＤ駆動回路、２５，４５，５６：ＣＰＵ、２６，４６，５７：メモリ、２７，４７，５１：Ｉ／Ｆ、３２：Ｒ撮像管、３３：Ｇ撮像管、３４：Ｂ撮像管、３５，３６，３７：プリアンプ、４４：撮像管駆動回路、５２：映像処理回路、５３：映像出力回路、５４：Ｉ／Ｆ、５５，５９：接栓、５８：ＳＳＧ。
【図１】
2006203484.tif 000003
【図２】
2006203484.tif 000004
【図３】
2006203484.tif 000005
【図４】
2006203484.tif 000006
【図５】
2006203484.tif 000007
【図６】
2006203484.tif 000008